(57)【要約】【課題】互いに独立した複数の暖房要求情報をそれぞれ受け付ける複数の入力回路を有する暖房熱源装置において、該複数の入力回路のうちの１つの入力回路を使用状態に設定するための操作に関する異常を検知して報知する。【解決手段】入力回路１１３，１１４は、暖房要求情報ＶＯＳ，ＶＨＣをそれぞれ受け付ける。操作部４２０は、入力回路１１３，１１４のうちの１つの入力回路を使用状態に設定するための操作を受け付ける。ＣＰＵ１１１は、操作部４２０から使用状態の入力回路を特定する特定情報を受け付けるとともに、使用状態の入力回路から送信される暖房要求情報を受け付ける。各暖房要求情報は、予め定められた電圧範囲を有する電圧情報である。ＣＰＵ１１１は、使用状態の入力回路から送信される電圧情報が、特定情報から特定される電圧範囲から外れている場合に、設定するための操作に関する異常を報知する。【選択図】図３
2018204850.tif 000002
【特許請求の範囲】
【請求項１】
熱媒体を加熱する加熱機構と、
暖房運転の実行時に前記加熱機構によって加熱された前記熱媒体を暖房端末との間で循環するための暖房循環経路と、
互いに独立した複数の暖房要求情報をそれぞれ受け付けるための複数の入力回路と、
前記複数の入力回路のうちの１つの入力回路を使用状態に設定するための設定部と、
前記設定部にて設定された前記使用状態の入力回路を特定するための特定情報を受け付けるとともに、前記使用状態の入力回路からの暖房要求情報に基づいて前記加熱機構を制御する制御部と、
報知部とを備え、
前記複数の暖房要求情報の各々は、予め定められた電圧範囲を有する電圧情報として、対応する入力回路に与えられ、
前記複数の入力回路の各々は、与えられた前記電圧情報に基づいた電圧値を前記制御部に出力するように構成され、
前記制御部は、前記使用状態の入力回路から出力される前記電圧値が、前記特定情報から特定される前記入力回路が出力する出力電圧範囲から外れている場合に、前記報知部を用いて異常を報知する、暖房熱源装置。
【請求項２】
前記異常は、
前記使用状態の入力回路に対して前記暖房要求情報が入力されない異常と、
前記設定部にて前記使用状態の入力回路が誤って設定される異常とを含む、請求項１に記載の暖房熱源装置。
【請求項３】
前記入力回路は、前記電圧情報を、前記制御部に入力可能な電圧に変換して前記制御部に出力する変換回路を含み、
前記変換回路は、前記電圧情報の前記電圧範囲を、前記制御部に入力可能な電圧範囲よりも狭くするように構成され、
前記電圧情報が入力されない場合には、前記制御部に入力可能な電圧範囲内であり、かつ、前記出力電圧範囲の範囲外である電圧値を前記制御部に出力する、請求項１または２に記載の暖房熱源装置。
【請求項４】
前記変換回路は、前記電圧情報の前記電圧範囲の上限値を、前記制御部に入力可能な電圧範囲の上限値よりも低い電圧値に変換するように構成され、
前記電圧情報が入力されない場合には、前記制御部に入力可能な電圧範囲の上限値に等しい電圧値を前記制御部に出力する、請求項３に記載の暖房熱源装置。
【請求項５】
前記変換回路は、前記電圧情報の前記電圧範囲の下限値を、前記制御部に入力可能な電圧範囲の下限値よりも高い電圧値に変換するように構成され、
前記電圧情報が入力されない場合には、前記制御部に入力可能な電圧範囲の下限値に等しい電圧値を前記制御部に出力する、請求項３に記載の暖房熱源装置。
【請求項６】
暖房熱源装置の制御方法であって、
前記暖房熱源装置は、
熱媒体を加熱する加熱機構と、
暖房運転の実行時に前記加熱機構によって加熱された前記熱媒体を暖房端末との間で循環するための暖房循環経路と、
互いに独立した複数の暖房要求情報をそれぞれ受け付けるための複数の入力回路と、
前記複数の入力回路のうちの１つの入力回路を使用状態に設定するための設定部とを含み、
前記複数の暖房要求情報の各々は、予め定められた電圧範囲を有する電圧情報として、対応する入力回路に与えられ、
前記複数の入力回路の各々は、与えられた前記電圧情報に基づいた電圧値を前記制御部に出力するように構成され、
前記制御方法は、
前記使用状態の入力回路から送信される前記電圧値を受け付けるステップと、
前記設定部から前記使用状態の入力回路を特定するための特定情報を受け付けるステップと、
前記使用状態の入力回路から送信される前記電圧値が、前記特定情報から特定される前記入力回路が出力する出力電圧範囲から外れている場合に、異常を報知するステップとを備える、暖房熱源装置の制御方法。
【発明の詳細な説明】
【技術分野】
【０００１】
本発明は、暖房熱源装置およびその制御方法に関し、特に、互いに独立した複数の暖房要求情報をそれぞれ受け付ける複数の入力回路を有する暖房熱源装置およびその制御方法に関する。
【背景技術】
【０００２】
暖房熱源装置の一態様として、暖房端末との間で形成される循環経路に熱媒体を通流することによって暖房機能を有するとともに、上記循環経路から給湯用熱交換器を含むバイパス経路を分岐することによって給湯機能を併有する暖房熱源装置が用いられている。上記のような暖房熱源装置では、熱媒体の一部ずつを循環経路およびバイパス経路に通流させることで暖房機能および給湯機能を同時に発揮することができる。
【０００３】
暖房熱源装置の他の一態様として、熱媒体を加熱するボイラーと水道水を加熱する給湯装置とを組み合わせたコンビボイラーも用いられている。コンビボイラーでは、熱媒体および水道水が単一の熱源によって加熱される。たとえば、実開昭５７−１２５９１１号公報（特許文献１）には、温水を生成するボイラー、温水を循環する循環ポンプおよび複数台の放熱機の運転を一括して制御するセントラルヒーティングシステムの集中制御装置が記載されている。
【先行技術文献】
【特許文献】
【０００４】
【特許文献１】実開昭５７−１２５９１１号公報
【発明の概要】
【発明が解決しようとする課題】
【０００５】
上述した暖房熱源装置には、互いに独立した複数の暖房要求情報をそれぞれ受け付ける複数の入力回路を有するものがある。このような暖房熱源装置では、複数の入力回路のうちの１つの入力回路が使用状態に設定される。そして、使用状態に設定された１つの入力回路が受け付ける暖房要求情報に従って、熱媒体を加熱するための加熱機構が制御される。
【０００６】
上記暖房熱源装置において、複数の入力回路のうちの１つの入力回路を使用状態に設定する操作は、通常、施工者によって行なわれる。この操作に関しては、使用状態に設定されたはずの入力回路に対して暖房要求情報が入力されないという異常が発生する場合がある。しかしながら、このような異常を検知して報知する手段がないため、ユーザは異常を認識する手立てがないという課題が存在する。
【０００７】
この発明はこのような問題点を解決するためになされたものであって、本発明の目的は、互いに独立した複数の暖房要求情報をそれぞれ受け付ける複数の入力回路を有する暖房熱源装置において、該複数の入力回路のうちの１つの入力回路を使用状態に設定するための操作に関する異常を検知して報知することである。
【課題を解決するための手段】
【０００８】
この発明のある局面では、暖房熱源装置は、熱媒体を加熱する加熱機構と、暖房循環経路と、複数の入力回路と、設定部と、制御部と、報知部とを備える。暖房循環回路は、暖房運転の実行時に加熱機構によって加熱された熱媒体を暖房端末との間で循環するように構成される。複数の入力回路は、互いに独立した複数の暖房要求情報をそれぞれ受け付けるように構成される。設定部は、複数の入力回路のうちの１つの入力回路を使用状態に設定するための設定するように構成される。制御部は、設定部にて設定された使用状態の入力回路を特定するための特定情報を受け付けるとともに、使用状態の入力回路から送信される暖房要求情報に基づいて加熱機構を制御するように構成される。複数の暖房要求情報の各々は、予め定められた電圧範囲を有する電圧情報として、対応する入力回路に与えられる。複数の入力回路の各々は、与えられた電圧情報に基づいた電圧値を制御部に主t力するように構成される。制御部は、使用状態の入力回路から出力される電圧値が、特定情報から特定される入力回路が出力する出力電圧範囲から外れている場合に、報知部を用いて異常を報知する。
【０００９】
上記暖房熱源装置によれば、複数の入力回路のうちの１つの入力回路を使用状態に設定する操作において、使用状態に設定されたはずの入力回路に対して暖房要求情報が入力されないという異常が発生した場合には、この異常を検知して報知することができる。したがって、ユーザに当該異常を認識させることが可能となる。
【００１０】
上記暖房熱源装置において好ましくは、異常は、使用状態の入力回路に対して暖房要求情報が入力されない異常と、設定部にて使用状態の入力回路が誤って設定される異常とを含む。
【００１１】
このような構成とすることにより、複数の入力回路のうちの１つの入力回路を使用状態に設定する操作において起こり得る異常を検知して報知することができる。
【００１２】
上記暖房熱源装置において好ましくは、入力回路は、電圧情報を、制御部に入力可能な電圧に変換して制御部に出力する変換回路を含む。変換回路は、電圧情報の電圧範囲を、制御部に入力可能な電圧範囲よりも狭くするように構成される。変換回路は、さらに、電圧情報が入力されない場合には、制御部に入力可能な電圧範囲内であり、かつ、出力電圧範囲の範囲外である電圧値を制御部に出力する。
【００１３】
このような構成とすることにより、制御部は、入力回路から与えられる電圧情報の電圧値に基づいて、該入力回路に電圧情報が入力されているか否かを判定することができる。
【００１４】
上記暖房熱源装置において好ましくは、変換回路は、電圧情報の電圧範囲の上限値を、制御部に入力可能な電圧範囲の上限値よりも低い電圧値に変換するように構成される。変換回路は、さらに、電圧情報が入力されない場合には、制御部に入力可能な電圧範囲の上限値に等しい電圧値を制御部に出力する。
【００１５】
このような構成とすることにより、制御部は、入力回路から与えられる電圧情報の電圧値に基づいて、該入力回路に電圧情報が入力されているか否かを判定することができる。
【００１６】
上記暖房熱源装置において好ましくは、変換回路は、電圧情報の電圧範囲の下限値を、制御部に入力可能な電圧範囲の下限値よりも高い電圧値に変換するように構成される。変換回路は、さらに、電圧情報が入力されない場合には、制御部に入力可能な電圧範囲の下限値に等しい電圧値を制御部に出力する。
【００１７】
このような構成とすることにより、制御部は、入力回路から与えられる電圧情報の電圧値に基づいて、該入力回路に電圧情報が入力されているか否かを判定することができる。
【００１８】
この発明の他の局面では、暖房熱源装置の制御方法であって、暖房熱源装置は、熱媒体を加熱する加熱機構と、暖房循環経路と、複数の入力回路と、設定部とを含む。暖房循環経路は、暖房運転の実行時に加熱機構によって加熱された熱媒体を暖房端末との間で循環するように構成される。複数の入力回路は、互いに独立した複数の暖房要求情報をそれぞれ受け付けるように構成される。設定部は、複数の入力回路のうちの１つの入力回路を使用状態に設定するように構成される。複数の暖房要求情報の各々は、予め定められた電圧範囲を有する電圧情報として、対応する入力回路に与えられる。複数の入力回路の各々は、与えられた電圧情報に基づいた電圧値を制御部に出力するように構成される。制御方法は、使用状態の入力回路から送信される電圧値を受け付けるステップと、設定部から使用状態の入力回路を特定するための特定情報を受け付けるステップと、使用状態の入力回路から送信される電圧情報が、特定情報から特定される入力回路が出力する出力電圧範囲から外れている場合に、異常を報知するステップとを備える。
【００１９】
上記暖房熱源装置の制御方法によれば、複数の入力回路のうちの１つの入力回路を使用状態に設定する操作において、使用状態に設定されたはずの入力回路に対して暖房要求情報が入力されないという異常が発生した場合には、この異常を検知して報知することができる。したがって、ユーザに当該異常を認識させることが可能となる。
【発明の効果】
【００２０】
この発明によれば、互いに独立した複数の暖房要求情報をそれぞれ受け付ける複数の入力回路を有する暖房熱源装置において、該複数の入力回路のうちの１つの入力回路を使用状態に設定するための操作に関する異常を検知して報知することができる。
【図面の簡単な説明】
【００２１】
【図１】実施の形態１に従う暖房熱源装置の構成を説明するブロック図である。
【図２】コントローラによる暖房熱源装置の動作制御を説明する機能ブロック図である。
【図３】図２に示されたコントローラの概略な回路構成図である。
【図４】端子設定情報の入力例を示す図である。
【図５】ＣＰＵの各入力ポートに入力される電圧情報を説明するための図である。
【図６】ＣＰＵによって検出されるパターンを説明するための図である。
【図７】ＣＰＵによる診断結果の報知の一態様を説明するための図である。
【図８】コントローラにおける診断動作および報知動作の処理手順を示すフローチャートである。
【図９】ＣＰＵの各入力ポートに入力される電圧情報の変形例を説明するための図である。
【発明を実施するための形態】
【００２２】
以下に本発明の実施の形態について図面を参照して詳細に説明する。なお以下では図中の同一または相当部分には同一符号を付してその説明は原則的に繰返さないものとする。
【００２３】
［実施の形態１］
図１は、実施の形態１に従う暖房熱源装置の構成を説明するブロック図である。
【００２４】
図１を参照して、実施の形態１に従う暖房熱源装置１００は、暖房端末３００と接続される出力端１０１および入力端１０２と、水道水等の低温水が導入される入水管２０６と、給湯栓３５０等に給湯するための出湯管２１０とを備える。暖房熱源装置１００では、出力端１０１および入力端１０２を介して、暖房端末３００へ熱媒体（高温水）の供給することによって暖房機能が実現される。さらに、入水管２０６に導入された低温水を、熱媒体との熱交換によって加熱することで、出湯管２１０からの給湯機能が実現される。
【００２５】
まず、暖房熱源装置１００の暖房機能に関連する構成を中心に説明する。暖房熱源装置１００は、さらに、燃焼バーナ１２０および熱交換器１３０が内蔵された缶体１０５と、排気管１０６と、コントローラ１１０と、給湯用熱交換器１４０と、分配弁１５０と、循環ポンプ１６０と、配管２０１〜２０５とを備える。
【００２６】
燃焼バーナ１２０は、ガスに代表される燃料の供給を受けて、当該燃料の燃焼によって熱量を発生する。燃料は、流量制御バルブ１２１を経由して燃焼バーナ１２０に供給される。流量制御バルブ１２１の開度調整によって、燃焼バーナ１２０へ供給されるガス流量、すなわち、燃焼バーナ１２０での発生熱量を制御することができる。
【００２７】
熱交換器１３０は、主に燃焼バーナ１２０での燃料燃焼の顕熱によって流体を加熱するための一次熱交換器１３１と、主に燃料燃焼による排気ガスの潜熱によって流体を加熱する二次熱交換器１３２とを有する。
【００２８】
燃焼バーナ１２０の燃焼によって生じる燃焼排ガスは、排気管１０６を経由して、暖房熱源装置１００の外部に排出される。また、二次熱交換器１３２において、燃焼排ガスが潜熱回収のための熱交換により冷やされて凝縮することにより生じた酸性水（ドレン）は、中和処理された後でドレンタンク１９５に集められて、暖房熱源装置１００の外部に排出される。
【００２９】
暖房端末３００を通流した熱媒体が入力される入力端１０２は、配管２０１によって、二次熱交換器１３２の入力側と接続される。一次熱交換器１３１の出力側は、配管２０２と接続される。配管２０２は、分配弁１５０を経由して、配管２０３および２０４と接続される。配管２０３は、暖房端末３００に対して熱媒体を出力するための出力端１０１と接続される。配管２０４は、給湯用熱交換器１４０の一次側経路１４１の入力側と接続される。給湯用熱交換器１４０の一次側経路１４１の出力側は、配管２０５によって、配管２０１と接続される。
【００３０】
分配弁１５０は、コントローラ１１０によって開度が制御される。分配弁１５０の開度に応じて、配管２０２から配管２０３への経路の流量と、配管２０２から配管２０４への経路の流量との比率を制御することができる。
【００３１】
出力端１０１および入力端１０２の間には、暖房端末３００および暖房ポンプ３１０が接続される。暖房ポンプ３１０が作動することにより、暖房熱源装置１００の内部では、暖房端末３００との間で熱媒体を循環するための「暖房循環経路」が、出力端１０１および入力端１０２の間に形成される。暖房循環経路は、配管２０１、熱交換器１３０、配管２０２、分配弁１５０、および、配管２０３を含む。たとえば、熱媒体は、熱交換器１３０で燃焼バーナ１２０の発生熱量によって加熱された高温水である。すなわち、燃焼バーナ１２０および熱交換器１３０は「加熱機構」の一実施例に対応する。
【００３２】
熱媒体を暖房端末３００に供給することにより、暖房端末３００が配置された空間（室内）を暖房することができる。すなわち、暖房熱源装置１００は、暖房ポンプ３１０の作動によって形成された暖房循環経路を通流する熱媒体を加熱することによって、暖房機能を実現することができる。
【００３３】
暖房循環経路には、圧力逃がし弁１９０がさらに設けられる。また、図示を省略しているが、暖房循環経路には、熱媒体が減少した際に水道水等によって補給するための回路がさらに接続される。
【００３４】
分配弁１５０によって熱媒体を配管２０４に導入することにより、熱交換器１３０によって加熱された熱媒体について、暖房循環経路から分岐されたバイパス経路を形成することができる。当該バイパス経路は、配管２０４、給湯用熱交換器１４０の一次側経路１４１、配管２０５を含む。バイパス経路を通流する熱媒体は、暖房端末３００を経由せずに、給湯用熱交換器１４０（一次側経路１４１）を通流した後、配管２０１および２０５の接続点２０７において、暖房循環経路に合流する。
【００３５】
循環ポンプ１６０は、配管２０１において、上記接続点２０７よりも下流側（熱交換器１３０側）に配置される。したがって、循環ポンプ１６０を作動すれば、暖房ポンプ３１０の作動によって暖房循環経路が形成されていなくても、熱媒体を熱交換器１３０および給湯用熱交換器１４０に通流させるための上記バイパス経路を形成することができる。
【００３６】
分配弁１５０の開度によって、熱交換器１３０で加熱された熱媒体について、暖房循環経路への供給流量と、バイパス経路への供給流量との比率を制御することができる。具体的には、熱交換器１３０から出力された熱媒体の全流量に対する、バイパス経路へ供給される流量の比率を分配率ｋｄとすると、分配率ｋｄは、ｋｄ＝０（すなわち、熱媒体の全量が暖房循環経路を通流）からｋｄ＝１．０（すなわち、熱媒体の全量がバイパス経路を通流）までの間で制御される（０≦ｋｄ≦１．０）。
【００３７】
次に、暖房熱源装置１００の給湯機能に関連する、給湯用熱交換器１４０の二次側経路１４２と接続される構成について説明する。
【００３８】
暖房熱源装置１００は、入水管２０６および出湯管２１０に加えて、バイパス管２０９と、流量調整弁１７０と、バイパス流量弁１８０とを備える。
【００３９】
給湯栓３５０が開栓されると、入水管２０６から、水道水等の水圧によって低温水が導入される。入水管２０６は、給湯用熱交換器１４０の二次側経路１４２の入力側と接続される。出湯管２１０は、給湯用熱交換器１４０の二次側経路１４２の出力側と接続される。給湯用熱交換器１４０では、一次側経路１４１を通流する熱媒体の熱量によって、二次側経路１４２を通流する低温水が加熱される。この結果、二次側経路１４２から出湯管２１０へ高温水が出力される。
【００４０】
バイパス管２０９は、入水管２０６および出湯管２１０の間に、給湯用熱交換器１４０のバイパス経路を形成するように配設される。出湯管２１０には、バイパス管２０９との合流点２１４が設けられる。そして、給湯用熱交換器１４０で加熱された高温水と、バイパス管２０９を通過した低温水とが混合された適温の湯が、出湯管２１０から給湯栓３５０等へ供給される。
【００４１】
バイパス流量弁１８０は、バイパス管２０９に配設される。バイパス流量弁１８０の開度によって、入水管２０６への入水流量に対するバイパス管２０９の流量比率、すなわち、高温水および低温水の混合比率が制御される。
【００４２】
入水管２０６には、流量調整弁１７０を配置することができる。たとえば、給湯開始直後での加熱能力が不足する期間中において、出湯流量を絞るように流量調整弁１７０の開度が制御されることによって、出湯温度の低下を防止することができる。また、給湯開始直後以外でも、高流量時において、給湯設定湯温に従って出湯するために、流量調整弁１７０の開度制御によって出湯流量を絞ることができる。
【００４３】
配管２０１には、暖房循環経路において熱交換器１３０への熱媒体の入力温度Ｔｉｎを検出するための温度センサ２５１が設けられる。配管２０２には、熱交換器１３０によって加熱された熱媒体の出力温度Ｔｈｍを検出するための温度センサ２５２が配置される。さらに、給湯機能に関連して、入水管２０６に導入される低温水温度Ｔｗを検出するための温度センサ２５３が設けられる。給湯用熱交換器１４０の二次側経路１４２の出力側には、高温水温度Ｔｈを検出するための温度センサ２５４が配置される。さらに、出湯管２１０の合流点２１４よりも下流側に、高温水および低温水の混合後の出湯温度Ｔｏを検出するための温度センサ２５５が配置される。
【００４４】
コントローラ１１０は、電源回路１１７から電源電圧（たとえば、ＤＣ１５Ｖ）の供給を受けて動作する。電源回路１１７は、暖房熱源装置１００の外部電源（たとえば、商用ＡＣ電源）からの電力を、電源電圧に変換する。
【００４５】
コントローラ１１０は、ＣＰＵ（Central  Processing  Unit）１１１と、メモリ１１２と、インターフェイス１１５とを有する。コントローラ１１０は、メモリ１１２に予め格納されたプログラムを実行することによって、暖房熱源装置１００がユーザの運転指令に従って動作するように、各構成機器の動作を制御する。
【００４６】
図２には、コントローラ１１０による暖房熱源装置１００の動作制御を説明する機能ブロック図が示される。
【００４７】
図２を参照して、コントローラ１１０は、暖房熱源装置１００のリモートコントローラ（以下、単に「リモコン」とも称する）４００と、通信線（たとえば、２芯通信線）によって接続される。リモコン４００およびコントローラ１１０の間は、双方向に通信可能である。
【００４８】
リモコン４００には、表示部４１０、操作部４２０および発光体４３０が設けられている。操作部４２０を用いて、ユーザは暖房熱源装置１００の運転指令を入力することができる。運転指令は、暖房熱源装置１００の運転オンオフ指令、給湯運転における給湯設定温度、および、暖房運転における暖房能力を含む。
【００４９】
表示部４１０は、液晶パネルによって構成することができる。表示部４１０は、暖房熱源装置１００の動作状態や、設定されている運転指令の内容を示す情報を視覚的に表示することができる。あるいは、操作部４２０の一部または全部は、タッチパネルによって構成された表示部４１０の一部領域を用いて構成することも可能である。
【００５０】
発光体４３０は、少なくとも１つのＬＥＤ（Light  Emitting  Diode）によって構成することができる。この少なくとも１つのＬＥＤを点灯／消灯／点滅させることにより、発光体４３０は複数の点灯パターンを実現することができる。この複数の点灯パターンを用いて、発光体４３０は、後述するコントローラ１１０と外気温センサ５００および暖房要求コネクタ５２０との接続状態を示す情報を視覚的に表示することができる。
【００５１】
コントローラ１１０には、リモコン４００に入力された運転指令が入力される。さらに、温度センサ２５１〜２５５によって検出された、熱媒体の入力温度Ｔｉｎおよび出力温度Ｔｈｍ、ならびに、低温水温度Ｔｗ、高温水温度Ｔｈおよび、出湯温度Ｔｏが入力される。さらに、コントローラ１１０には、流量センサ２６０による流量検出値Ｑ１が入力される。
【００５２】
コントローラ１１０には、さらに、暖房熱源装置１００の外部に設置された外気温センサ５００または暖房要求コネクタ５２０から暖房要求情報が入力される。
【００５３】
外気温センサ（Outdoor  Sensor）５００は、暖房端末３００が設置された空間（部屋など）外部の気温を検出するためのセンサである。外気温センサ５００は、検出した外気温を示す信号を、暖房要求情報としてコントローラ１１０に出力する。暖房要求情報は、予め定められた電圧範囲を有する電圧情報ＶＯＳである。
【００５４】
暖房要求コネクタ（Heat  demand  Connection）５２０は、暖房端末３００が設置された空間の暖房温度を制御するための装置である。暖房要求コネクタ５２０は、暖房端末３００が設置された空間の室温や外気温などの変化に応じて、暖房温度の目標値を調整するように構成される。たとえば、冬場などの外気温が低いときには、暖房要求コネクタ５２０は暖房温度の目標値を上昇させる一方で、夏場などの外気温が高いときには、暖房温度の目標値を低下させる。暖房要求コネクタ５２０は、暖房温度の目標値を、暖房要求情報としてコントローラ１１０に出力する。暖房要求情報は、予め定められた電圧範囲を有する電圧情報ＶＨＣである。電圧情報ＶＨＣは、暖房温度の目標値が高くなるに従って、電圧値が大きくなるように構成されている。
【００５５】
通常、外気温センサ５００および暖房要求コネクタ５２０は、いずれか一方が通信線によってコントローラ１１０と接続される。したがって、コントローラ１１０には、外気温センサ５００および暖房要求コネクタ５２０のうちのコントローラ１１０と接続された一方から暖房要求情報（電圧情報）が入力される。
【００５６】
コントローラ１１０は、暖房熱源装置１００が運転指令および暖房要求情報に従って動作するために、循環ポンプ１６０の動作および停止を制御する信号、分配弁１５０の開度を制御する信号、バイパス流量弁１８０の開度を制御する信号、流量調整弁１７０の開度を制御する信号、および、燃焼バーナ１２０の発生熱量を制御するための信号（たとえば、流量制御バルブ１２１の開度制御信号）を出力する。これらの信号は、ＣＰＵ１１１での制御処理結果に従って、インターフェイス１１５を経由して、コントローラ１１０から出力される。
【００５７】
図３には、図２に示されたコントローラ１１０の概略な回路構成が示される。
図３を参照して、電源配線ＶＣＣは、電源電圧ＶＣＣを、ＣＰＵ１１１を始めとする、コントローラ１１０の回路ないし素子へ供給する。電源電圧ＶＣＣは、たとえば５Ｖである。ＣＰＵ１１１は、電源配線ＶＣＣから電源電圧ＶＣＣの供給を受けて動作する。
【００５８】
コントローラ１１０は、外気温センサ５００からの暖房要求情報を受け付けるための入力回路１１３と、暖房要求コネクタ５２０からの暖房要求情報を受け付けるための入力回路１１４とを有する。
【００５９】
入力回路１１３は、入力端子Ｔ１と、配線Ｌ１と、抵抗素子Ｒ１〜Ｒ３と、ダイオードＤ１とを有する。入力端子Ｔ１は、通信線を経由して、外気温センサ５００と接続され得る。抵抗素子Ｒ２およびＲ３は、入力端子Ｔ１と接地配線ＧＮＤとの間に直列に接続される。抵抗素子Ｒ２および抵抗素子Ｒ３の間のノードＮ１は、配線Ｌ１を経由して、ＣＰＵ１１１の入力ポートＰ１と電気的に接続される。抵抗素子Ｒ１およびダイオードＤ１は、電源配線ＶＣＣと配線Ｌ１との間に直列に接続される。
【００６０】
図３に示されるように、入力端子Ｔ１に外気温センサ５００が接続されている場合、外気温センサ５００は、暖房要求情報として、電圧情報ＶＯＳを入力端子Ｔ１へ入力する。電圧情報ＶＯＳは、予め定められた電圧範囲を有している。抵抗素子Ｒ２およびＲ３は、電圧情報ＶＯＳを分圧した電圧ＶＯＳ♯をノードＮ１に出力する。分圧電圧ＶＯＳ♯はＣＰＵ１１１の入力ポートＰ１に入力される。なお、以下では、各抵抗素子の参照符号を、電気抵抗値としても用いることとする。したがって、入力ポートＰ１への入力電圧（分圧電圧）ＶＯＳ♯は、ＶＯＳ♯＝ＶＯＳ×Ｒ３／（Ｒ２＋Ｒ３）で示される。
【００６１】
入力回路１１３において、外気温センサ５００から与えられる電圧情報ＶＯＳは、ＣＰＵ１１１に入力可能な電圧ＶＯＳ♯に変換されて、ＣＰＵ１１１の入力ポートＰ１に出力される。抵抗素子Ｒ２およびＲ３は、電圧情報ＶＯＳを電圧ＶＯＳ♯に変換するための変換回路を構成する。
【００６２】
入力回路１１４は、入力端子Ｔ２と、配線Ｌ２と、抵抗素子Ｒ４〜Ｒ６と、ダイオードＤ２とを有する。入力端子Ｔ２は、通信線を経由して、暖房要求コネクタ５２０と接続され得る。抵抗素子Ｒ５およびＲ６は、入力端子Ｔ２と接地配線ＧＮＤとの間に直列に接続される。抵抗素子Ｒ５および抵抗素子Ｒ６の間のノードＮ２は、配線Ｌ２を経由して、ＣＰＵ１１１の入力ポートＰ２と電気的に接続される。抵抗素子Ｒ４およびダイオードＤ２は、電源配線ＶＣＣと配線Ｌ２との間に直列に接続される。
【００６３】
図３に示されるように、入力端子Ｔ２に暖房要求コネクタ５２０が接続されている場合、暖房要求コネクタ５２０は、暖房要求情報として、電圧情報ＶＨＣを入力端子Ｔ２へ入力する。電圧情報ＶＨＣは、予め定められた電圧範囲を有している。抵抗素子Ｒ５およびＲ６は、電圧情報ＶＨＣを分圧した電圧ＶＨＣ♯をノードＮ２に出力する。分圧電圧ＶＨＣ♯はＣＰＵ１１１の入力ポートＰ２に入力される。入力ポートＰ２への入力電圧（分圧電圧）ＶＨＣ♯は、ＶＨＣ♯＝ＶＨＣ×Ｒ６／（Ｒ５＋Ｒ６）で示される。
【００６４】
入力回路１１４において、暖房要求コネクタ５２０から与えられる電圧情報ＶＨＣは、ＣＰＵ１１１に入力可能な電圧ＶＨＣ♯に変換されて入力ポートＰ２に出力される。抵抗素子Ｒ５およびＲ６は、電圧情報ＶＨＣを電圧ＶＨＣ♯に変換するための変換回路を構成する。
【００６５】
このように、コントローラ１１０は、外気温センサ５００および暖房要求コネクタ５２０からの暖房要求情報（電圧情報ＶＯＳ，ＶＨＣ）をそれぞれ受け付けるための入力回路１１３，１１４を有している。ただし、上述したように、コントローラ１１０には、基本的に、外気温センサ５００および暖房要求コネクタ５２０のいずれか一方のみが接続される。したがって、たとえば、入力回路１１３の入力端子Ｔ１に外気温センサ５００が接続されている場合、入力回路１１４の入力端子Ｔ２には暖房要求コネクタ５２０が接続されていない状態となる。この場合、ＣＰＵ１１１は、入力ポートＰ１に入力される、外気温センサ５００の電圧情報ＶＯＳ（ＶＯＳ♯）に基づいて、各構成機器の動作を制御することとなる。
【００６６】
一方、入力回路１１４の入力端子Ｔ２に暖房要求コネクタ５２０が接続されている場合、入力回路１１４の入力端子Ｔ１には外気温センサ５００が接続されていない状態となる。この場合、ＣＰＵ１１１は、入力ポートＰ２に入力される、暖房要求コネクタ５２０の電圧情報ＶＨＣ（ＶＨＣ♯）に基づいて、各構成機器の動作を制御することとなる。
【００６７】
ここで、暖房熱源装置１００において、コントローラ１１０に外気温センサ５００または暖房要求コネクタ５２０を取り付ける工事が実施された際には、外気温センサ５００および暖房要求コネクタ５２０のどちらが取り付けられたか、換言すれば、入力回路１１３，１１４のどちらが使用状態になったかをコントローラ１１０に示すために、施工者によって、入力回路１１３，１１４のうちの１つの入力回路を使用状態に設定するための操作が行なわれる。この操作は、たとえば、リモコン４００に設けられた操作部４２０を用いて行なうことができる。操作部４２０はこの発明における「設定部」に対応する。
【００６８】
具体的には、施工者は、リモコン４００の操作部４２０を用いて、使用状態に設定された入力回路を特定するための特定情報を入力することができる。この特定情報は、入力端子Ｔ１，Ｔ２の各々の接続状態を示す情報に相当する。以下の説明では、入力端子Ｔ１，Ｔ２の各々の接続状態を示す情報を「端子設定情報」とも称する。
【００６９】
図４には、端子設定情報の入力例が示される。図４の例では、端子設定情報は、３つの設定値で構成されている。
【００７０】
具体的には、設定値「１」は“ｄｃ（disconnection）”を示す。“ｄｃ”とは、入力端子Ｔ１に外気温センサ５００が接続されておらず、かつ、入力端子Ｔ２に暖房要求コネクタ５２０が接続されていない状態を表す。
【００７１】
設定値「２」は“ＯＳ（Outdoor  Sensor）”を示す。“ＯＳ”とは、入力端子Ｔ１に外気温センサ５００が接続されている状態を表す。
【００７２】
設定値「３」は“ＨＣ（Heat  Demand  Connection）”を示す。“ＨＣ”とは、入力端子Ｔ２に暖房要求コネクタ５２０が接続されている状態を表す。
【００７３】
施工者は、取付け作業を終えると、リモコン４００の操作部４２０を用いて、上記３つの設定値のいずれかを入力する。なお、設定値のデフォルト値は「１」である。すなわち、外気温センサ５００および暖房要求コネクタ５２０の取付け作業が実施されなかった場合、設定値は「１」に保持される。図４に示される端子設定情報は、リモコン４００からコントローラ１１０のＣＰＵ１１１に送信される。ＣＰＵ１１１に送信された端子設定情報はメモリ１１２に格納される。
【００７４】
図３に戻って、暖房熱源装置１００の電源が投入され、コントローラ１１０が起動すると、ＣＰＵ１１１は、メモリ１１２に保持されている端子設定情報と、入力ポートＰ１，Ｐ２に入力される電圧情報ＶＯＳ♯，ＶＨＣ♯とに基づいて、上述した使用状態となる入力回路を設定するための操作に関する異常がないか否かを診断する。
【００７５】
なお、使用状態となる入力回路を設定するための操作に関する異常には、使用状態となる入力回路に対して暖房要求情報が入力されない異常と、使用状態となる入力回路が操作部４２０において誤って設定される異常とが含まれる。
【００７６】
使用状態となる入力回路に対して暖房要求情報が入力されない異常は、たとえば、（ｉ）施工者が本来の設定値「１」を入力したものの、入力回路１１３の入力端子Ｔ１に外気温センサ５００を接続し忘れた場合、または入力回路１１３とは異なる入力回路１１４の入力端子Ｔ２に外気温センサ５００を誤って接続した場合、（ｉｉ）入力端子Ｔ１および外気温センサ５００を接続するための通信線が断線している場合に起こり得る。
【００７７】
一方、操作部４２０にて使用状態の入力回路が誤って設定される異常は、たとえば、使用状態となる入力回路１１３の入力端子Ｔ１に外気温センサ５００が接続されている状態で、施工者が本来の設定値「１」とは異なる設定値を誤って入力した場合に起こり得る。
【００７８】
ＣＰＵ１１１は、上記診断によって、使用状態となる入力回路を設定するための操作に関する異常が検知された場合には、リモコン４００を用いて該異常を報知する。たとえば、リモコン４００の表示部４１０に、異常を示す情報を視覚的に表示することができる。また、このような視覚的な報知に代えて、もしくは視覚的な報知とともに、アラームを鳴らすなど、異常を示す情報を聴覚的に報知することも可能である。
【００７９】
次に、図５を参照して、ＣＰＵ１１１における異常の診断動作について説明する。
図５（Ａ）には、ＣＰＵ１１１の入力ポートＰ１に入力される電圧情報ＶＯＳ♯が示される。図５（Ａ）を参照して、ＣＰＵ１１１に入力可能な電圧範囲は、電源電圧ＶＣＣを上限値とし、接地電圧ＧＮＤを下限値とする。
【００８０】
外気温センサ５００の電圧情報ＶＯＳが電圧範囲を有しているため、電圧情報ＶＯＳ♯も電圧範囲を有することとなる。入力回路１１３は、電圧変換により、電圧情報ＶＯＳ♯の電圧範囲を、ＣＰＵ１１１に入力可能な電圧範囲よりも狭くするように構成される。
【００８１】
本実施の形態では、入力回路１１３は、電圧情報ＶＯＳ♯の電圧範囲の上限値ＶＵ１を、電源電圧ＶＣＣよりも低い電圧値に変換する。一方、入力回路１１３は、電圧ＶＯＳ♯の電圧範囲の下限値ＶＬ１を、接地電圧ＧＮＤに等しい電圧値に変換する。
【００８２】
一方、入力回路１１３において、入力端子Ｔ１に外気温センサ５００が接続されていない場合には、ノードＮ１は抵抗素子Ｒ１によって電源電圧ＶＣＣにプルアップされる。したがって、ＣＰＵ１１１の入力ポートＰ１への入力電圧ＶＯＳ♯は、ＶＯＳ♯＝ＶＣＣで示される。
【００８３】
図５（Ｂ）には、ＣＰＵ１１１の入力ポートＰ２に入力される電圧情報ＶＨＣ♯が示される。図５（Ｂ）を参照して、暖房要求コネクタ５２０の電圧情報ＶＨＣが電圧範囲を有しているため、電圧情報ＶＨＣ♯も電圧範囲を有することとなる。入力回路１１４は、電圧変換により、電圧情報ＶＨＣ♯の電圧範囲を、ＣＰＵ１１１に入力可能な電圧範囲よりも狭くするように構成される。
【００８４】
本実施の形態では、入力回路１１４は、電圧情報ＶＨＣ♯の電圧範囲の上限値ＶＵ２を、電源電圧ＶＣＣよりも低い電圧値に変換する。一方、入力回路１１４は、電圧情報ＶＨＣ♯の電圧範囲の下限値ＶＬ２を、接地電圧ＧＮＤに等しい電圧値に変換する。
【００８５】
一方、入力回路１１４において、入力端子Ｔ２に暖房要求コネクタ５２０が接続されていない場合には、ノードＮ２は抵抗素子Ｒ４によって電源電圧ＶＣＣにプルアップされる。したがって、ＣＰＵ１１１の入力ポートＰ２への入力電圧ＶＨＣ♯は、ＶＨＣ♯＝ＶＣＣで示される。
【００８６】
ＣＰＵ１１１は、入力ポートＰ１に入力される電圧情報ＶＯＳ♯に基づいて、入力端子Ｔ１に外気温センサ５００が接続されているか否かを判定することができる。具体的には、電圧情報ＶＯＳ♯がＶＬ１≦ＶＯＳ♯＜ＶＣＣを満たす場合、ＣＰＵ１１１は、入力端子Ｔ１に外気温センサ５００が接続されていると判定する。一方、電圧情報ＶＯＳ♯がＶＯＳ♯＝ＶＣＣである場合、ＣＰＵ１１１は、入力端子Ｔ１に外気温センサ５００が接続されていないと判定する。
【００８７】
ＣＰＵ１１１は、入力ポートＰ２に入力される電圧情報ＶＨＣ♯に基づいて、入力端子Ｔ２に暖房要求コネクタ５２０が接続されているか否かを判定することができる。具体的には、電圧情報ＶＨＣ♯がＶＬ２≦ＶＨＣ♯＜ＶＣＣを満たす場合、ＣＰＵ１１１は、入力端子Ｔ２に暖房要求コネクタ５２０が接続されていると判定する。一方、電圧情報ＶＨＣ♯がＶＨＣ♯＝ＶＣＣである場合、ＣＰＵ１１１は、入力端子Ｔ２に暖房要求コネクタ５２０が接続されていないと判定する。
【００８８】
ＣＰＵ１１１は、入力端子Ｔ１への接続／非接続の判定結果と、入力端子Ｔ２への接続／非接続の判定結果とを総合することにより、入力端子Ｔ１，Ｔ２全体での接続／非接続を統括的に表すパターンを検出する。
【００８９】
図６には、ＣＰＵ１１１によって検出されるパターンが示される。図６を参照して、入力端子Ｔ１，Ｔ２全体での接続／非接続は、４つのパターンに区分することができる。
【００９０】
「非接続」は、入力端子Ｔ１に外気温センサ５００が接続されておらず、かつ、入力端子Ｔ２に暖房要求コネクタ５２０が接続されていない状態を表す。「外気温センサ接続」は、入力端子Ｔ１に外気温センサ５００が接続されており、かつ、入力端子Ｔ２に暖房要求コネクタ５２０が接続されていない状態を表す。「暖房要求コネクタ接続」は、入力端子Ｔ１に外気温センサ５００が接続されておらず、かつ、入力端子Ｔ２に暖房要求コネクタ５２０が接続されている状態を表す。「外気温センサ＆暖房要求コネクタ接続」は、入力端子Ｔ１に外気温センサ５００が接続されており、かつ、入力端子Ｔ２に暖房要求コネクタ５２０が接続されている状態を表す。
【００９１】
ＣＰＵ１１１は、入力端子Ｔ１，Ｔ２全体の接続状態が、図６に示される４つのパターンのうちのどのパターンに該当するかを検出すると、検出されたパターンと端子設定情報とを照らし合わせることにより、使用状態となる入力回路を設定するための操作に関する異常の有無を診断する。ＣＰＵ１１１は、さらに、リモコン４００の表示部４１０およびＬＥＤ４３０を用いて、診断結果を報知する。
【００９２】
図７には、ＣＰＵ１１１による診断結果の報知の一態様が示される。図７を参照して、暖房熱源装置１００の運転スイッチがオンされている状態（運転オン状態）においては、３つの端子設定情報（設定値１，２，３）と４つの検出パターンとの組み合わせ（合計１２通り）の各々について、ＬＥＤ４３０の点灯状態およびエラー報知の有無が示されている。
【００９３】
具体的には、端子設定情報が設定値「１（ｄｃ）」である場合、ＣＰＵ１１１は、「非接続」、「外気温センサ」、「暖房要求コネクタ接続」、「外気温センサ＆暖房要求コネクタ接続」のいずれのパターンにおいてもＬＥＤ４３０を点滅させる。このＬＥＤ４３０の点滅により、ユーザは、コントローラ１１０には外気温センサ５００および暖房要求コネクタ５２０のいずれも接続されておらず、端子設定情報と一致していると判断できる。
【００９４】
これに対して、端子設定情報が設定値「２（ＯＳ）」である場合、ＣＰＵ１１１は、「非接続」および「暖房要求コネクタ接続」のパターンのときに、ＬＥＤ４３０を点滅させるとともに、エラーを報知する。このＬＥＤ４３０の点滅およびエラー報知により、ユーザは、使用状態に設定された外気温センサ５００がコントローラ１１０に接続されていないと判断することができる。
【００９５】
一方、「外気温センサ接続」および「外気温センサ＆暖房要求コネクタ接続」のパターンのときには、ＣＰＵ１１１は、ＬＥＤ４３０を点灯させる。このＬＥＤ４３０の点灯により、ユーザは、使用状態に設定された外気温センサ５００がコントローラ１１０に接続されていると判断することができる。
【００９６】
なお、「外気温センサ＆暖房要求コネクタ接続」のパターンである場合、ＣＰＵ１１１には電圧情報ＶＯＳ♯およびＶＨＣ♯の両方が入力される。この場合、ＣＰＵ１１１は、設定値「２（ＯＳ）」に基づいて、外気温センサ５００の電圧情報ＶＯＳ♯を選択して使用することができる。
【００９７】
また、端子設定情報が設定値「３（ＨＣ）」である場合には、ＣＰＵ１１１は、「非接続」および「外気温センサ接続」のパターンのときに、ＬＥＤ４３０を点滅させるとともに、エラー（異常）を報知する。このＬＥＤ４３０の点滅およびエラー報知により、ユーザは、使用状態に設定された暖房要求コネクタ５２０がコントローラ１１０に接続されていないと判断することができる。
【００９８】
これに対して、「暖房要求コネクタ接続」および「外気温センサ＆暖房要求コネクタ接続」のパターンのときには、ＣＰＵ１１１は、電圧情報ＶＨＣ♯の電圧値に応じて、ＬＥＤ４３０を点灯または点滅させる。具体的には、ＣＰＵ１１１は、電圧情報ＶＨＣ♯の電圧値が所定の閾値以上のときにはＬＥＤ４３０を点灯させる一方で、電圧情報ＶＨＣ♯が所定の閾値未満のときにはＬＥＤ４３０を点滅させる。なお、所定の閾値は、外気温が高く、実質的に暖房運転が要求されないときの暖房温度の目標値に設定されている。したがって、ＬＥＤ４３０の点滅により、ユーザは、使用状態に設定された暖房要求コネクタ５２０がコントローラ１１０に接続されているが、暖房要求コネクタ５２０が暖房運転を要求していないと判断することができる。
【００９９】
なお、暖房熱源装置１００の運転スイッチがオフされている状態（運転オフ状態）のときには、ＣＰＵ１１１は、いずれのパターンにおいてもＬＥＤ４３０を消灯させる。
【０１００】
図７に示した報知の一態様は、テーブル１１２ａ（図３）として、コントローラ１１０のメモリ１１２に予め格納されている。ＣＰＵ１１１は、テーブル１１２ａを参照することにより、端子設定情報および検出パターンに応じて、ＬＥＤ４３０を点灯させるとともに、リモコン４００を用いて、視覚的および／または聴覚的に異常を報知することができる。
【０１０１】
図８には、コントローラ１１０における診断動作および報知動作の処理手順を示すフローチャートが示される。
【０１０２】
図８を参照して、コントローラ１１０は、ステップＳ１０により、リモコン４００から送信される端子設定情報を取得する。
【０１０３】
コントローラ１１０は、さらに、ステップＳ２０により、入力回路１１３および１１４において、外気温センサ５００からの暖房要求情報（電圧情報ＶＯＳ）および暖房要求コネクタ５２０からの暖房要求情報（電圧情報ＶＨＣ）をそれぞれ受け付ける。電圧情報ＶＯＳは、入力回路１１３によって電圧情報ＶＯＳ♯に変換されて、ＣＰＵ１１１の入力ポートＰ１に入力される。電圧情報ＶＨＣは、入力回路１１４によって電圧情報ＶＨＣ♯に変換されて、ＣＰＵ１１１の入力ポートＰ２に入力される。
【０１０４】
コントローラ１１０は、ステップＳ３０により、電圧情報ＶＯＳ♯およびＶＨＣ♯に基づいて、入力端子Ｔ１に外気温センサ５００が接続されているか否か、入力端子Ｔ２に暖房要求コネクタ５２０が接続されているか否かを判定する。そして、コントローラ１１０は、図６に示されるテーブルに基づいて、入力端子Ｔ１，Ｔ２の接続／非接続を表すパターンを検出する。
【０１０５】
コントローラ１１０は、ステップＳ４０に処理を進め、ステップＳ１０で取得した端子設定情報と、ステップ３０で検出したパターンとに基づいて、使用状態となる入力回路を設定するための操作に関する異常がないか否かを診断する。コントローラ１１０は、図７に示したテーブル１１２ａを参照することにより、異常の有無を診断する。
【０１０６】
使用状態となる入力回路を設定するための操作に関する異常が検知された場合（Ｓ５０のＹＥＳ判定時）には、コントローラ１１０は、ステップＳ６０により、リモコン４００を用いてエラーを報知する。一方、該異常が検知されない場合には（Ｓ６０のＮＯ判定時）、コントローラ１１０はステップＳ６０による報知を行なわない。
【０１０７】
このように、本実施の形態に係る暖房熱源装置によれば、互いに独立した複数の暖房要求情報をそれぞれ受け付ける複数の入力回路を有する暖房熱源装置において、該複数の入力回路のうちの１つの入力回路を使用状態に設定するための操作に関する異常を検知して報知することができる。
【０１０８】
なお、本実施の形態に係る暖房熱源装置において、複数の入力回路の各々は、暖房要求情報である電圧情報の電圧範囲を、ＣＰＵ１１１に入力可能な電圧範囲よりも狭くする一方で、電圧情報が入力されない場合には、ＣＰＵ１１１に入力可能な電圧範囲内であり、かつ、該電圧情報の電圧範囲外である電圧値をＣＰＵ１１１に出力するように構成される。したがって、上述した実施の形態では、図５に示したように、各入力回路が、電圧情報の電圧範囲の上限値を、ＣＰＵ１１１に入力可能な電圧範囲の上限値ＶＣＣよりも低い電圧値に変換し、かつ、電圧情報が入力されない場合には、ＣＰＵ１１１に入力可能な電圧範囲の上限値ＶＣＣに等しい電圧値をＣＰＵ１１１に出力する構成について説明したが、図９に示すように、各入力回路は、電圧情報の電圧範囲の下限値を、ＣＰＵ１１１に入力可能な電圧範囲の下限値ＧＮＤよりも高い電圧値に変換し、かつ、電圧情報が入力されない場合には、ＣＰＵ１１１に入力可能な電圧範囲の下限値ＧＮＤに等しい電圧値をＣＰＵ１１１に出力する構成としてもよい。このような構成としても、電圧情報に基づいて、ＣＰＵ１１１は入力端子Ｔ１，Ｔ２に外気温センサ５００および暖房要求コネクタ５２０がそれぞれ接続されているか否かを判定することができる。
【０１０９】
今回開示された実施の形態はすべての点で例示であって制限的なものではないと考えられるべきである。本発明の範囲は上記した説明ではなくて特許請求の範囲よって示され、特許請求の範囲と均等の意味および範囲内でのすべての変更が含まれることが意図される。
【符号の説明】
【０１１０】
１００  暖房熱源装置、１０１  出力端、１０２  入力端、１０５  缶体、１０６  排気管、１１０  コントローラ、１１１  ＣＰＵ、１１２  メモリ、１１２ａ  テーブル、１１３，１１４  入力回路、１１５  インターフェイス、１１７  電源回路、１２０  燃焼バーナ、１２１  流量制御バルブ、１３０  熱交換器、１３１  一次熱交換器、１３２  二次熱交換器、１４０  給湯用熱交換器、１４１  一次側経路、１４２  二次側経路、１５０  分配弁、１６０  循環ポンプ、１７０  流量調整弁、１８０  バイパス流量弁、１９０  圧力逃がし弁、１９５  ドレンタンク、２０１〜２０５  配管、２０６  入水管、２０７  接続点、２０９  バイパス管、２１０  出湯管、２１４  合流点、２５１〜２５５  温度センサ、２６０  流量センサ、３００  暖房端末、３１０  暖房ポンプ、３５０  給湯栓、４００  リモコン、４１０  表示部、４２０  操作部、４３０  発光体、５００  外気温センサ、５２０  暖房要求コネクタ、Ｔ１，Ｔ２  入力端子、Ｐ１，Ｐ２  入力ポート、Ｒ１〜Ｒ６  抵抗素子、Ｄ１，Ｄ２  ダイオード、Ｌ１，Ｌ２  配線。
【図１】
2018204850.tif 000003
【図２】
2018204850.tif 000004
【図３】
2018204850.tif 000005
【図４】
2018204850.tif 000006
【図５】
2018204850.tif 000007
【図６】
2018204850.tif 000008
【図７】
2018204850.tif 000009
【図８】
2018204850.tif 000010
【図９】
2018204850.tif 000011